(57)【要約】【課題】放電灯または放電灯制御回路から発生するノイズの放射および電源側への伝導を低減する放電灯装置を提供する。【解決手段】放電灯制御回路２０は、電源４０から放電灯１０に印加される電圧を制御している。フィルタ回路２１は放電灯制御回路２０から配線１０１を通り電源４０側に伝導してくるノイズを除去する。シールドケース３１はフィルタ回路２１を覆わず放電灯制御回路２０を覆っている。シールドケース３０は、放電灯制御回路２０、フィルタ回路２１およびシールドケース３１を覆っている。シールドケース３０は、シールドケース３０の出口近傍に位置しフィルタ回路２１と電源４０の接地側とを電気的に接続している配線１０２と電気的に接続されている。シールドケース３０の内側に位置している配線１０２から外側の配線１０２に伝導するノイズが低減する。【選択図】図１
2007242638.tif 000002
【特許請求の範囲】
【請求項１】
電源から放電灯に印加する電圧を制御する放電灯制御回路と、
前記放電灯制御回路の前記電源側に設置され、前記放電灯または前記放電灯制御回路で発生し、前記電源側に伝導するノイズを除去するフィルタ回路と、
前記放電灯制御回路および前記フィルタ回路を覆う第１のシールドケースと、
前記フィルタ回路を覆わず前記放電灯制御回路を覆う第２のシールドケースとを備える放電灯装置であって、
前記第１のシールドケースは前記第２のシールドケースを収容していることを特徴とする放電灯装置。
【請求項２】
前記放電灯制御回路と前記フィルタ回路とを電気的に接続している配線のうち前記第２のシールドケースの出口に位置している接地側の配線と前記第２のシールドケースとを電気的に接続していることを特徴とする請求項１記載の放電灯装置。
【請求項３】
前記第１のシールドケースの一部は前記第２のシールドケースを構成していることを特徴とする請求項１または２記載の放電灯装置。
【発明の詳細な説明】
【技術分野】
【０００１】
本発明は、放電灯または放電灯制御回路で発生するノイズを低減する放電灯装置に関する。
【背景技術】
【０００２】
放電灯を光源として用いる従来の放電灯装置として、例えば図９に示す従来例１の放電灯装置が知られている。図９に示す放電灯２００は、放電灯本体２０１とコネクタ２０２とを有している。コネクタ２０２は放電灯２００に印加する電圧を制御する放電灯制御回路２１０と電気的に接続している。放電灯制御回路２１０と電源２３０との間に、放電灯２００または放電灯制御回路２１０で発生するノイズを低減するフィルタ回路２１１が設置されている。
【０００３】
このような放電灯装置では、放電灯２００を矩形波で駆動するときに発生するノイズが放電灯制御回路２１０に伝導する。また、放電灯２００の起動に必要な高電圧あるいは起動後に安定に放電灯を点灯させるために放電灯に印加する電圧に昇圧するために放電灯制御回路２１０内のＤＣ／ＤＣコンバータがスイッチングするとき、放電灯制御回路２１０でスイッチングノイズが発生する。放電灯装置を車両のヘッドライトに用いる場合、放電灯装置で発生したノイズが電源側配線にのると、ラジオ等から雑音が聞こえることがある。
【０００４】
そこで従来例１の放電灯装置では、放電灯制御回路２１０と電源２３０との間にフィルタ回路２１１を設置し、放電灯制御回路２１０から電源２３０側にノイズが伝導することを低減しようとしている。さらに従来例１では、放電灯制御回路２１０をシールドケース２２０で覆うことにより、放電灯制御回路２１０からノイズが放射されることを低減しようとしている。
【発明の開示】
【発明が解決しようとする課題】
【０００５】
放電灯制御回路２１０から直接放射されるノイズはシールドケース２２０でシールドすることはできるが、放電灯制御回路２１０とフィルタ回路２１１とを電気的に接続する配線２４０のうちシールドケース２２０の内側の配線２４０にノイズがのり、シールドケース２２０の外側の配線２４０からノイズが放射される恐れがある。そこで図１０に示す従来例２の放電灯装置では、放電灯制御回路２１０とフィルタ回路２１１と配線２４０とをシールドケース２２１で覆う構成を採用している。
【０００６】
しかし、放電灯制御回路２１０から放射されるノイズがフィルタ回路２１１と電源２３０とを電気的に接続する配線２４１のうち、シールドケース２２１の内側の配線２４１にのり、シールドケース２２１の外側の配線２４１からノイズが放射するかまたは電源２３０側に伝導する恐れがある。
本発明の目的は、放電灯または放電灯制御回路から発生するノイズの放射および電源側への伝導を低減する放電灯装置を提供することにある。
【課題を解決するための手段】
【０００７】
本発明の請求項１または３記載の放電灯装置によると、放電灯制御回路およびフィルタ回路を第１のシールドケースで覆い、放電灯制御回路を第２のシールドケースで覆っている。さらに、フィルタ回路と電源とを電気的に接続している配線のうち第１のシールドケースの出口に位置している接地側の配線と第１のシールドケースとを電気的に接続している。放電灯または放電灯制御回路で発生したノイズがフィルタ回路と電源とを電気的に接続している配線のうち第１のシールドケースの内側に位置している配線にのり第１のシールドケースの外側に伝導しても、第１のシールドケースの出口に位置している接地側の配線と第１のシールドケースとが電気的に接続しているので、ノイズが低減する。
【０００８】
本発明の請求項２記載の放電灯装置によると、請求項１記載の構成に加え、放電灯制御回路とフィルタ回路とを電気的に接続している配線のうち第２のシールドケースの出口に位置している接地側の配線と第２のシールドケースとを電気的に接続している。放電灯または放電灯制御回路で発生したノイズが放電灯制御回路とフィルタ回路とを電気的に接続している配線のうち第２のシールドケースの内側に位置している配線にのり第２のシールドケースの外側に伝導しても、第２のシールドケースの出口に位置している接地側の配線と第２のシールドケースとが電気的に接続されているので、フィルタ回路側に伝導するノイズが低減する。
【発明を実施するための最良の形態】
【０００９】
以下、本発明の実施の形態を示す複数の実施例を図に基づいて説明する。
（第１実施例）
本発明の第１実施例による放電灯装置を図１に示す。放電灯装置は、車両のヘッドライト等に用いられる。
放電灯装置は、放電灯１０、放電灯制御回路２０、フィルタ回路２１および電源４０を有している。放電灯１０は、放電灯本体１１と、放電灯本体１１を配線１００と電気的に接続するコネクタ１２とを有している。放電灯制御回路２０は、電源４０から放電灯１０に印加される電圧を制御している。フィルタ回路２１は放電灯制御回路２０から配線１０１を通り電源４０側に伝導してくるノイズを除去する。
【００１０】
第２のシールドケースとしてのシールドケース３１はアルミ製であり、フィルタ回路２１を覆わず放電灯制御回路２０を覆っている。第１のシールドケースとしてのシールドケース３０は、放電灯制御回路２０、フィルタ回路２１およびシールドケース３１を収容し覆っている。シールドケース３０は、シールドケース３０の出口近傍に位置しフィルタ回路２１と電源４０の接地側とを電気的に接続している配線１０２と電気的に接続されている。シールドケース３０と配線１０２との電気的接続は、配線１０２の心線とシールドケース３０とを直接電気的に接続してもよいし、シールドケース３０に取り付けられており配線１０２と接続する接地ターミナルとシールドケース３０とを電気的に接続してもよい。
【００１１】
放電灯制御回路２０は、放電灯１０を起動つまり点灯を開始するとき、ならびに放電灯１０の点灯を維持するため、電源４０の電圧をＤＣ／ＤＣコンバータ等により昇圧して放電灯１０に印加している。放電灯１０の点灯を維持する駆動電圧は矩形波である。
【００１２】
ＤＣ／ＤＣコンバータによる昇圧はスイッチングをともなうので、放電灯制御回路２０からスイッチングノイズが発生する。また、矩形波で放電灯１０が駆動されることにより、放電灯１０で発生したノイズが配線１００を通り放電灯制御回路２０に伝導してくる。放電灯制御回路２０と電源４０との間にフィルタ回路２１が設置されているので、放電灯制御回路２０から配線１０１、１０２を通り電源４０側にノイズが伝導することを低減している。
【００１３】
また、シールドケース３１が放電灯制御回路２０を覆っているので、放電灯制御回路２０から放射されるノイズを低減している。放電灯制御回路２０から放射されるノイズはシールドケース３１の内側の配線１０１にのり、シールドケース３１の外側の配線１０１から放射される恐れがある。そこで、放電灯制御回路２０、フィルタ回路２１およびシールドケース３１および配線１０１をシールドケース３０で覆うことにより、配線１０１から放射されるノイズを低減できる。
【００１４】
配線１０１から放射されるノイズは、シールドケース３０の内側の配線１０２にのりシールドケース３０の外側の配線１０２から放射または電源４０側に伝導する恐れがある。そこで、シールドケース３０の出口近傍に位置している接地側の配線１０２とシールドケース３０とを電気的に接続することにより、シールドケース３０の内側の配線１０２から外側の配線１０２に伝導し、外側の配線１０２からノイズが放射または電源４０側に伝導することを低減する。
したがって、放電灯１０または放電灯制御回路２０で発生するノイズが放射されること、ならびに放電灯１０または放電灯制御回路２０で発生するノイズが電源４０側に伝導することを低減する。
【００１５】
次に、第１実施例の放電灯装置から発生するノイズの周波数とレベルとの特性を図２の（Ａ）および図３の（Ａ）に示す。また、前述した従来例１の放電灯装置から発生するノイズの周波数とレベルとの特性を図２の（Ｂ）および図３の（Ｂ）に示す。図２は１０００ＭＨｚ迄の特性を示し、図３は１０ＭＨｚ迄の特性を詳細に示している。図２および図３を見て分かるように、０．０１ＭＨｚから１ＭＨｚまでの周波数では、第１実施例と従来例１とを比較してもノイズレベルに顕著な差はない。しかし、１ＭＨｚを超えた周波数域では従来例１に比べ第１実施例のノイズレベルが低減している。特にラジオノイズとして発生する１０ＭＨｚ〜１００ＭＨｚの周波数域において、従来例１に比べ第１実施例のノイズレベルは低減している。
【００１６】
次に、第１実施例の比較例を図４に示す。第１実施例と同様にシールドケース３１が放電灯制御回路２０を覆い、放電灯制御回路２０、フィルタ回路２１およびシールドケース３１および配線１０１をシールドケース３０で覆っている。しかし、シールドケース３０の出口近傍に位置している接地側の配線１０２とシールドケース３０とを電気的に接続していないので、配線１０１から放射されるノイズがシールドケース３０の内側の配線１０２にのりシールドケース３０の外側の配線１０２から放射または電源４０側に伝導する恐れがある。
【００１７】
したがって図５に示すように、比較例のノイズレベルは、従来例１のノイズレベルよりは僅かに低いが、第１実施例よりも高くなっている。特にラジオノイズとして発生する１０ＭＨｚ〜１００ＭＨｚの周波数域において、比較例のノイズレベルは第１実施例よりも高いので、比較例のノイズレベル低減効果は低い。
【００１８】
（第２実施例）
本発明の第２実施例を図６に示す。第１実施例と実質的に同一部分に同一符号を付し説明を省略する。
第２実施例では、第１実施例の構成に加え、シールドケース３１の出口近傍に位置している接地側の配線１０１とシールドケース３１とを電気的に接続している。これにより、放電灯制御回路２０から放射されシールドケース３１の内側の配線１０１にのったノイズ、ならびに放電灯制御回路２０で発生し配線１０１を通りフィルタ回路２１側に伝導しようとするノイズが低減する。
【００１９】
（第３実施例）
本発明の第３実施例を図７に示す。第１実施例と実質的に同一部分に同一符号を付し説明を省略する。
第１のシールドケースとしてのアルミ製のシールドケース５０は、放電灯制御回路２０およびフィルタ回路２１を覆っている。シールドケース５０はアルミ製の仕切板５１を有し、シールドケース５０内を放電灯制御回路２０側とフィルタ回路２１側とに仕切っている。シールドケース５０の放電灯制御回路２０側と仕切板５１とにより第２のシールドケースが構成されている。
シールドケース５０の出口近傍に位置している接地側の配線１０２とシールドケース５０とは電気的に接続されている。
【００２０】
シールドケース５０の放電灯制御回路２０側部分と仕切板５１とが放電灯制御回路２０を覆っているので、放電灯制御回路２０から放射されるノイズを低減している。放電灯制御回路２０、フィルタ回路２１およびシールドケース３１および配線１０１をシールドケース５０が覆っているので、配線１０１から放射されるノイズを低減できる。シールドケース５０の出口近傍に位置している接地側の配線１０２とシールドケース５０とを電気的に接続することにより、シールドケース５０の内側の配線１０２から外側の配線１０２に伝導するノイズが低減する。
【００２１】
したがって、放電灯１０または放電灯制御回路２０で発生するノイズが放射されること、ならびに放電灯１０または放電灯制御回路２０で発生するノイズが電源４０側に伝導することを低減する。
【００２２】
（第４実施例）
本発明の第４実施例を図８に示す。第３実施例と実質的に同一部分に同一符号を付し説明を省略する。
第４実施例では、第３実施例の構成に加え、仕切板５１のフィルタ回路２１側に位置している接地側の配線１０１と仕切板５１とを電気的に接続している。これにより、放電灯制御回路２０から放射され仕切板５１の放電灯制御回路２０側に位置している配線１０１にのったノイズ、ならびに放電灯制御回路２０で発生し配線１０１を通りフィルタ回路２１側に伝導しようとするノイズが低減する。
【００２３】
以上説明した本発明の上記複数の実施例では、放電灯制御回路２０およびフィルタ回路２１を覆っている第１のシールドケースの出口近傍に位置している接地側の配線と第１のシールドケースとを電気的に接続することにより、放電灯１０または放電灯制御回路２０で発生したノイズが配線を通り電源側に伝導することを低減できる。
なお、各実施例を示す図において配線とシールドケースとをシールドケースの出口近傍の外側で結線しているが、配線とシールドケースとをシールドケースの出口近傍の内側で結線してもよい。
【図面の簡単な説明】
【００２４】
【図１】本発明の第１実施例による放電灯装置を示す模式的構成図である。
【図２】（Ａ）は第１実施例による１０００ＭＨｚまでのノイズの周波数とレベルとの関係を示す特性図であり、（Ｂ）は従来例１による１０００ＭＨｚまでのノイズの周波数とレベルとの関係を示す特性図である。
【図３】（Ａ）は第１実施例による１０ＭＨｚまでのノイズの周波数とレベルとの関係を示す特性図であり、（Ｂ）は従来例１による１０ＭＨｚまでのノイズの周波数とレベルとの関係を示す特性図である。
【図４】第１実施例の比較例による放電灯装置を示す模式的構成図である。
【図５】（Ａ）は比較例による１０００ＭＨｚまでのノイズの周波数とレベルとの関係を示す特性図であり、（Ｂ）は比較例による１０ＭＨｚまでのノイズの周波数とレベルとの関係を示す特性図である。
【図６】本発明の第２実施例による放電灯装置を示す模式的構成図である。
【図７】本発明の第３実施例による放電灯装置を示す模式的構成図である。
【図８】本発明の第４実施例による放電灯装置を示す模式的構成図である。
【図９】従来例１による放電灯装置を示す模式的構成図である。
【図１０】従来例２による放電灯装置を示す模式的構成図である。
【符号の説明】
【００２５】
１０：放電灯、１１：放電灯本体、２０：放電灯制御回路、２１：フィルタ回路、３０：シールドケース（第１のシールドケース）３１：シールドケース（第２のシールドケース）、４０：電源、５０：シールドケース（第１のシールドケース、第２のシールドケース）、５１：仕切板（第２のシールドケース）、１００，１０１，１０２：配線
【図１】
2007242638.tif 000003
【図２】
2007242638.tif 000004
【図３】
2007242638.tif 000005
【図４】
2007242638.tif 000006
【図５】
2007242638.tif 000007
【図６】
2007242638.tif 000008
【図７】
2007242638.tif 000009
【図８】
2007242638.tif 000010
【図９】
2007242638.tif 000011
【図１０】
2007242638.tif 000012